(57)【特許請求の範囲】
【請求項１】
半田付けされた端子台を有する回路基板を、その端子台に設けられた電線ケーブル差込み用の差込孔を窓部から外に露出させて固定状態に収納するプラスチックの容器体と、この容器体を収納し外殻を構成する金属製のボックス外殻とを有し、上記容器体の上記窓部を上記端子台の差込孔のある面とほぼ同じ広さの開口面積となし、上記ボックス外殻には上記容器体の上記窓部を露出させる開口部を設け、上記容器体をその窓部が上記ボックス外殻の上記開口部の口縁に内側から密接し当接するように上記ボックス外殻に収納固定したことを特徴とする回路ボックス。
【請求項２】
半田付けされた端子台を有する回路基板を、その端子台に設けられた電線ケーブル差込み用の差込孔を窓部から露出させて固定状態に収納するプラスチックの容器体と、この容器体を収納し外殻を構成する金属製のボックス外殻とを有し、上記容器体には差込孔を露出させる上記窓部の周囲にこの窓部を囲む枠部を一体に形成するとともにこの枠部の一部に上記窓部の外側に向って張り出す掛止部を設け、上記ボックス外殻には上記枠部で囲まれる上記窓部の開口面積にほぼ等しい開口部を形成し、上記容器体を、その枠部に設けた上記掛止部を上記ボックス外殻の上記開口部の口縁の外側に掛止めて、上記枠部の端面が上記開口部の口縁に内側から密接し当接するよう上記ボックス外殻に収納固定したことを特徴とする回路ボックス。
【請求項３】
半田付けされた端子台を有する回路基板を、その端子台に設けられた電線ケーブル差込み用の差込孔を窓部から外に露出させて固定状態に収納するプラスチックの容器体と、この容器体を収納し外殻を構成する金属製のボックス外殻とを有し、上記容器体の上記窓部を上記端子台の差込孔のある面とほぼ同じ広さの開口面積となし、その窓部の周囲にはこの窓部を囲む枠部を一体に形成するとともにこの枠部の一部に上記窓部の外側に向って張り出す掛止部を設け、上記ボックス外殻には上記枠部で囲まれる上記窓部の開口面積にほぼ等しい開口部を形成し、上記容器体を、その枠部に設けた上記掛止部を上記ボックス外殻の上記開口部の口縁の外側に掛止めて、上記枠部の端面が上記開口部の口縁に内側から密接し当接するよう上記ボックス外殻に収納固定したことを特徴とする回路ボックス。
【請求項４】
半田付けされた端子台をそれぞれ有する複数枚の回路基板と、この回路基板のうちの何枚かをその端子台に設けられた電線ケーブル差込み用の差込孔を窓部から外に露出させて固定状態に収納するプラスチックの容器体と、他の回路基板をその端子台に設けられた電線ケーブル差込み用の差込孔を外表に並んで設けた開口部に臨ませて取付け収納するとともに、上記容器体も収納し外殻を構成する金属製のボックス外殻とを有し、上記容器体の上記窓部を上記端子台の差込孔のある面とほぼ同じ広さの開口面積となすとともに、この窓部に隣接して上記ボックス外殻側の回路基板における端子台の差込孔のある面とほぼ同じ広さの開口面積の窓部を形成し、これらの各窓部の周囲にはこの窓部を囲む枠部を一体に形成するとともにこの枠部の一部に上記各窓部の外側に向って張り出す掛止部をそれぞれ設け、上記ボックス外殻の各開口部を上記各枠部で囲まれる上記窓部の開口面積にほぼ等しい開口部とし、上記容器体を、その枠部に設けた上記掛止部を上記ボックス外殻の上記各開口部の口縁の外側に掛止めて、上記枠部の端面が上記各開口部の口縁に内側から密接し当接するよう上記ボックス外殻に収納固定したことを特徴とする回路ボックス。
【請求項５】
請求項１〜請求項４までのいずれかに記載の回路ボックスであって、ボックス外殻の開口部を設けた面にこの開口部を外側から被覆するカバーをネジ締めにより装着し、このカバーの一側には端子台に接続された電線ケーブルの引出口を設け、この引出口の口縁にはカバーのネジ締め方向に伸縮できる緩衝材を被着したことを特徴とする回路ボックス。
【請求項６】
請求項１〜請求項５までのいずれかに記載の回路ボックスであって、ボックス外殻を取付箇所に取付けられる取付枠に挿入して取付けるように構成するとともに、ボックス外殻の側面にコネクタ接続口を外部に臨ませ、この側面に対向する取付枠の内面との間に収まり上記コネクタ接続口に接続する信号線を側面に沿って保持する配索ガイドを設け、上記取付枠には取付状態において上記ボックス外殻のコネクタ接続口の外方を覆う保護構造を設けたことを特徴とする回路ボックス。
【発明の詳細な説明】
【０００１】
【発明の属する技術分野】
本発明は、機器の制御等を行なう電気回路を収めた回路ボックスに関するものであり、特に外部回路との接続に供する端子台を半田付けした基板を収めた回路ボックスに関するものである。
【０００２】
【従来の技術】
例えば特開平７―１５１３６３号公報に示されているような換気システムにおいて、複数の換気扇をコントロールする回路ボックスには多くの電線ケーブルが接続されることになる。接続する電線ケーブルと端子台が多い程、回路ボックス内部での配線は複雑になり、誤結線も起き易い。そのため制御回路等を構成しているプリント基板に端子台を半田付けにしてボックス外殻に収めて回路ボックスを構成する技術が採用されている。
【０００３】
この種の回路ボックスに使われている端子台は、電線ケーブルを差込む複数の差込口を有し、差込口に電線ケーブルの端を差込むことにより接続状態に維持される。差込口の近傍には解除ボタンが配設されていて、解除ボタンを押しながら差込まれている電線ケーブルを引っ張れば、電線ケーブルを差込口から引き抜くことができる。
【０００４】
このような端子台をプリント基板に半田付けしたものでは、電線ケーブルの引き抜き操作に伴って端子台の根元に引張力が加わることがあり、引張力が強く掛かった場合には端子台の半田抜けやプリント基板の割れや撓みにより回路が損傷することがある。そのため、引張力の加わる方向に対して端子台を押える端子台押えを設けているものが多い。一方、回路ボックスの小型化の要請には、従来においてはプリント基板を分割構成することにより対応しているものが多い。この場合、プリント基板同士の間隔を離すか、プリント基板間に絶縁シートを介在させてプリント基板同士の絶縁が図られている。
【０００５】
【発明が解決しようとする課題】
上記のような従来の回路ボックスにおいては、引張力から端子台やプリント基板を保護するための端子台押えが必要で、端子台の数が増えればそれに応じた数の端子台押えが必要になり、構成が複雑になりコストも割り高になる。また、従来の端子台押えは、単に端子台の一部を押え付けているだけの構造であるため、強い引張力が作用した場合には端子台やプリント基板に対する十分な保護機能を果たさないことがある。
【０００６】
一方、プリント基板を分割構成にしてコンパクト化を図っている回路ボックスについては、プリント基板間に十分な空間距離を設定した場合にはコンパクト化はあまり達成できない。また、絶縁シートを介在させるものでは、絶縁シートやそれを固定する固定手段が必要になり、これによりコストが上昇するといった問題点がある。
【０００７】
この他にも一般的な回路ボックスについていくつかの問題点が指摘されている。即ち、端子台を外部に臨ませるためにボックス外殻に形成された開口部の隙間から内部に芥や埃が侵入し、プリント基板に芥や埃が付着し、機能が損なわれることがあるということ。端子台の外部に露出した箇所に埃がたまり、この箇所で埃によるトラッキング現象が起こりうる懸念を払拭できないこと。ボックス外殻に信号線接続のためのコネクタ接続口を外部に臨ませ、このコネクタ接続口に信号線のコネクタを接続した回路ボックスでは、信号線のコネクタ接続部の被覆を薄くするためこの部分が取付相手のエッジ等により損傷を受け易いことなどである。
【０００８】
本発明は上記した従来の問題点を解消するためになされたもので、その課題とするところは、端子台及びそれを半田付けにした基板に対する外力からの保護機能の優れた回路ボックスを得ること、端子台露出部から内部へ芥や埃が侵入することを防止する機能を持つ回路ボックスを得ること、端子台部分での埃によるトラッキング現象の発生を防止する機能を持つ回路ボックスを得ること、トラッキング現象が発生してもその事後対策機能を有する回路ボックスを得ること、回路ボックスのコンパクト化や低コスト化を推進すること、コネクタ接続口に信号線のコネクタを接続する回路ボックスに対する、信号線のコネクタ接続部の保護を簡素な構成により実現できるようにすることである。
【０００９】
【課題を解決するための手段】
前記課題を達成するために請求項１の発明は、半田付けされた端子台を有する回路基板を、その端子台に設けられた電線ケーブル差込み用の差込孔を窓部から外に露出させて固定状態に収納するプラスチックの容器体と、容器体を収納し外殻を構成する金属製のボックス外殻とを備えさせ、その容器体の窓部を端子台の差込孔のある面とほぼ同じ広さの開口面積となし、ボックス外殻には容器体の窓部を露出させる開口部を設け、容器体をその窓部がボックス外殻の開口部の口縁に内側から密接し当接するようにボックス外殻に収納固定する手段を採用する。
【００１０】
前記課題を達成するために請求項２の発明は、半田付けされた端子台を有する回路基板を、その端子台に設けられた電線ケーブル差込み用の差込孔を窓部から露出させて固定状態に収納するプラスチックの容器体と、この容器体を収納し外殻を構成する金属製のボックス外殻とを備えさせ、容器体には差込孔を露出させる窓部の周囲にこの窓部を囲む枠部を一体に形成するとともにこの枠部の一部に窓部の外側に向って張り出す掛止部を設け、ボックス外殻には枠部で囲まれる窓部の開口面積にほぼ等しい開口部を形成し、容器体を、その枠部に設けた掛止部をボックス外殻の開口部の口縁の外側に掛止めて、枠部の端面が開口部の口縁に内側から密接し当接するようボックス外殻に収納固定する手段を採用する。
【００１１】
前記課題を達成するために請求項３の発明は、半田付けされた端子台を有する回路基板を、その端子台に設けられた電線ケーブル差込み用の差込孔を窓部から外に露出させて固定状態に収納するプラスチックの容器体と、この容器体を収納し外殻を構成する金属製のボックス外殻とを備えさせ、容器体の窓部を端子台の差込孔のある面とほぼ同じ広さの開口面積となし、その窓部の周囲にはこの窓部を囲む枠部を一体に形成するとともにこの枠部の一部に窓部の外側に向って張り出す掛止部を設け、ボックス外殻には枠部で囲まれる窓部の開口面積にほぼ等しい開口部を形成し、容器体を、その枠部に設けた掛止部をボックス外殻の開口部の口縁の外側に掛止めて、枠部の端面が開口部の口縁に内側から密接し当接するようボックス外殻に収納固定する手段を採用する。
【００１２】
前記課題を達成するために請求項４の発明は、半田付けされた端子台をそれぞれ有する複数枚の回路基板と、この回路基板の何枚かをその端子台に設けられた電線ケーブル差込み用の差込孔を窓部から外に露出させて固定状態に収納するプラスチックの容器体と、他の回路基板をその端子台に設けられた電線ケーブル差込み用の差込孔を、外表に並んで設けた開口部に臨ませて取付け収納するとともに、容器体も収納し外殻を構成する金属製のボックス外殻とを備えさせ、容器体の窓部を端子台の差込孔のある面とほぼ同じ広さの開口面積となすとともに、この窓部に隣接してボックス外殻側の回路基板における端子台の差込孔のある面とほぼ同じ広さの開口面積の窓部を形成し、これらの各窓部の周囲にはこの窓部を囲む枠部を一体に形成するとともにこの枠部の一部に各窓部の外側に向って張り出す掛止部をそれぞれ設け、ボックス外殻の各開口部を各枠部で囲まれる窓部の開口面積にほぼ等しい開口部とし、容器体を、その枠部に設けた掛止部をボックス外殻の各開口部の口縁の外側に掛止めて、枠部の端面が各開口部の口縁に内側から密接し当接するようボックス外殻に収納固定する手段を採用する。
【００１３】
前記課題を達成するために請求項５の発明は、請求項１〜請求項４までのいずれかに係る前記手段におけるボックス外殻の開口部を設けた面に、この開口部を外側から被覆するカバーをネジ締めにより装着し、このカバーの一側には端子台に接続された電線ケーブルの引出口を設け、この引出口の口縁にはカバーのネジ締め方向に伸縮できる緩衝材を被着する手段を採用する。
【００１４】
前記課題を達成するために請求項６の発明は、請求項１〜請求項５までのいずれかに係る前記手段におけるボックス外殻を取付箇所に取付けられる取付枠に挿入して取付けるように構成し、このボックス外殻の側面にコネクタ接続口を外部に臨ませ、この側面に対向する取付枠の内面との間に収まりコネクタ接続口に接続する信号線を側面に沿って保持する配索ガイドを設け、取付枠には取付状態においてボックス外殻のコネクタ接続口の外方を覆う保護構造を設ける手段を採用する。
【００１７】
【発明の実施の形態】
次に本発明の実施の形態を図面に基づいて説明する。
実施の形態１．
図１〜図３に示すこの実施の形態１の回路ボックスは、機能的には受信機として構成されたものであり、送信機との組合わせで換気装置等の機器の運転・停止を行なうものである。回路ボックスの外殻は、一端面の開放した６面体状に形成された板金製のボックス外殻１により構成され、このボックス外殻１の開放した一端に形成されたフランジ２に対して表示パネル３が開放端を塞ぐ状態に着脱可能に装着されている。表示パネル３の内側には受信センサーや運転状態を表示する表示ランプ等を実装した回路基板Ａ４が装着されている。ボックス外殻１の周側面の一面は着脱可能の蓋板５により構成され、蓋板５を固定しているネジ６を弛めて蓋板５を外すことによりボックス外殻１の内部が露呈する。
【００１８】
ボックス外殻１の内部には、表示パネル３の内側に設けられた回路基板Ａ４に電線で連結接続されている回路基板Ｂ７と、回路基板Ｂ７に電線で連結接続されている回路基板Ｃ８とがそれぞれ組込まれている。回路基板Ｂ７と回路基板Ｃ８とには外部回路に接続する電線ケーブル９を接続するための端子台１０が半田付けにより装着されている。端子台１０は回路基板Ｂ，Ｃ、７，８側に対向する面と側面とによる稜角部を斜めにカットした面１１に、電線ケーブル差込み用の差込孔１２を配列させた構成で、各差込孔１２に対応する解除ボタンを備えている。
【００１９】
回路基板Ｂ７は、蓋板５に対向するボックス外殻１の内側面に沿って、その内側面から離反する位置に数本のＰＣＢサポート１４により固定されている。この回路基板Ｂ７上の端子台１０は、ボックス外殻１の表示パネル３の装着側に対向する端面に開設された平面長方形の開口部１５に臨み、その電線ケーブル差込み用の差込孔１２の列のある面１１は開口部１５に向って蓋板５が形成する側面に向って外方へ斜めに向いている。ボックス外殻１には、この開口部１５の蓋板５寄りに並んでもう一つの開口部１６が開設されている。これらの開口部１５，１６は同形同寸法に形成され、中央の仕切部を境にして隣接している。
【００２０】
回路基板Ｃ８は、プラスチックの容器体１７に収められてボックス外殻１内の開口部１５，１６側に組込まれている。容器体１７は電気的絶縁性の高いプラスチックで形成され、端子台１０付きの回路基板Ｃ８を一側から差込み装着し内装する基板装着構造１８と、装着状態において端子台１０の電線ケーブル差込み用の差込孔１２の配列する面１１を外に露出させる窓部１９と、この窓部１９に隣接した窓部２０とを備えている。基板装着構造１８に差込み装着された回路基板Ｃ８は差込口に掛止爪により装着される押え板２１によって抜け止めされている。この押え板２１は、図１に示すように容器体１７の窓部１９に対し、側面方向から差込口に挿入した回路基板Ｃ８を、その容器体１７の差込口を閉止する形態に装着されている。各窓部１９，２０は各端子台１０の差込孔１２の列のある面１１とほぼ同じか僅かに小さい開口面積に形成され、それらの周囲には各窓部１９，２０を囲む枠部２２が一体に形成されている。基板装着構造１８に連絡した窓部１９の隣の窓部２０は、基板装着構造１８に相当する部分がそのまま開放した構造となっている。
【００２１】
枠部２２は、その囲む平面積がボックス外殻１の開口部１５，１６にほぼ等しくなるように構成され、そのうちの回路基板Ｃ８の差込孔１２の列方向に沿う一辺部は端子台１０の一側面に下端がほぼ垂直に当り、他の一辺部は差込孔１２の列のある面１１に斜めに当るように斜面構成となっている。即ち、容器体１７の窓部１９に対する回路基板Ｃ８の端子台１０の配置関係は、先に説明したボックス外殻１の開口部１５に対する回路基板Ｂ７の端子台１０の配置関係と同様になっている。そして、端子台１０の一側面に下端がほぼ垂直に当る枠部２２の二つの一辺部の上端にはそれぞれ当該窓部１９，２０の外側に向って張り出した掛止部２３がフランジ状に形成されている。
【００２２】
容器体１７は回路基板Ｃ８を収納固定した状態で、蓋板５を外したボックス外殻１の開放部分からボックス外殻１の開口部１５，１６に向ってスライドさせるようにして装着することができる。即ち、窓部１９，２０を開口部１５，１６の方に向け、各掛止部２３が回路基板Ｂ７の端子台１０のある方に向く姿勢に保持した容器体１７を、ボックス外殻１の開放部分から内部に入れ、各掛止部２３を各開口部１５，１６に対応させて開口部１５，１６の内部から外に呈出させて全体を押込んでやれば、容器体１７は二箇所の掛止部２３の各開口部１５，１６の口縁への係着により保持されることになる（図３参照）。このとき最終的な容器体１７の押込みとともに容器体１７の空になっている方の窓部２０に、回路基板Ｂ７に付けられている端子台１０の差込孔１２の列のある面１１がはまり込み、あたかもこの端子台１０も回路基板Ｃ８の端子台１０と同様に、当初から容器体１７に組込まれていたかの様相を呈して係合する。より詳細には、図３に示すように容器体１７の掛止部２３をボックス外殻１の内部から開口部１５を貫通したときに、容器体１７と、回路基板Ｂ７の端子台１０に干渉しないようにする。即ち、端子台１０を開口部１５に投影したとき、容器体１７のスライド挿入側の寸法が掛止部２３が開口部１５を貫通可能な寸法よりも大きな開口部１５とし、掛止部２３の位置を容器体１７のスライド挿入方向の先頭部付近にする。開口部１５を掛止部２３が貫通したら、そのまま容器体１７をスライド挿入し、回路基板Ｂ７の端子台１０に被せる。
【００２３】
ボックス外殻１に装着された容器体１７の各窓部１９，２０には、各端子台１０の差込孔１２が列をなしていずれも同じ方向に向って斜めに開口している（図３参照）。各窓部１９，２０の枠部２２の端面はそれぞれに対応する開口部１５，１６の内側口縁に密接し、各掛止部２３は各開口部１５，１６の外側口縁の一部に密接している。これにより、各端子台１０の差込孔１２のある面１１が臨んで露呈している容器体１７の各窓部１９，２０は、ボックス外殻１の各開口部１５，１６の奥において外部に露出した状態になっているが、各窓部１９，２０の周囲はボックス外殻１に密接する枠部２２に囲まれ、さらに開口部１５，１６の口縁が掛止部２３で被覆されているのでボックス外殻１内に通じる隙間はなく、この部分から内部へ塵埃が侵入することは事実上ない。
【００２４】
容器体１７を装着したボックス外殻１の側面は蓋板５のネジ付けにより閉止される。この蓋板５の装着により容器体１７は押込み側へ押え付けられ、しっかりとボックス外殻１に収納固定される。この状態の容器体１７の回路基板Ｂ７側の部分２４は、回路基板Ｂ７と回路基板Ｃ８とを電気的絶縁状態におく絶縁機能を果している。ボックス外殻１の開口部１５，１６のある端面には二つの開口部１５，１６を一括して外側から被覆する金属製のカバー２５がネジ締めにより装着されている。このカバー２５は、浅い皿型の容器状に形成され、一側部に電線ケーブル９を引出すための引出口２６が開設されている。この引出口２６の口縁にはカバー２５のネジ締め方向に伸縮できる難燃性を備えた緩衝材２７が被着されている。カバー２５の取付けは図１に示すようにカバー２５を伏せた形態にしてボックス外殻１の端面に重ね、カバー２５のフランジ２８に形成されただるま孔２９を通じてボックス外殻１へネジ３０を締め込むことにより行なわれる。
【００２５】
実際にはカバー２５のボックス外殻１への装着は、各端子台１０の差込孔１２に必要とする電線ケーブル９の一端を差込み、端子台１０と電線ケーブル９を接続した後に行なわれる。各端子台１０の差込孔１２は図３に示すように、いずれも同じ方向に斜めに向いて開口しており、電線ケーブル９も同じ方向に配索されることになる。この電線ケーブル９を引出口２６から引出し、カバー２５をネジ締めしていくと、引出口２６に被着されている緩衝材２７が電線ケーブル９を押え付けながら弾性的に縮み、電線ケーブル９を押え付けて安定に保持するとともに引出口２６を適度に塞ぎ外部からの塵埃の侵入を防止することになる（図３参照）。このとき、カバー２５のネジ締めの度合いを加減することにより、緩衝材２７と電線ケーブル９との状態及び引出口２６の閉止状態とを適切な状態に調整することができる。このようにカバー２５の装着により端子台１０の露出部分が被覆され、当該部に塵や埃が付着することが防止される。これにより、端子台１０の外部に露出した箇所に塵や埃がたまり、たまった塵や埃によってトラッキング現象が起きるような不都合は回避される。また、カバー２５が金属製であるので、なんらかの原因で端子台１０の部分から発火したとしても、外部への延焼は防止される。
【００２６】
端子台１０の差込孔１２に差込んで接続した電線ケーブル９は、解除ボタンを押しつつ引っ張れば差込孔１２から抜き取ることができ、端子台１０との接続をし直すことができる。この時、解除ボタンの操作忘れや操作ミスにより、電線ケーブル９にかけられた引張力が端子台１０に直接的に加わることがある。接続のし直しの時以外でも電線ケーブル９が不用意に引っ張られることもあり、こうした場合にもやはり、電線ケーブル９に加わった引張力が端子台１０に直接的にかかることになる。
【００２７】
このような引張力が端子台１０にかかると、端子台１０の根元に引張力が加わり端子台１０の半田抜けや回路基板Ｂ，Ｃ、７，８の割れや撓みにより回路が損傷することがある。しかしながら、この実施の形態１の回路ボックスでは、容器体１７の各窓部１９，２０によりいずれの端子台１０も差込孔１２の列のある面１１と、それに隣接する側面の双方が密接して保持されていて、電線ケーブル９にかかる引張力をすべて容器体１７が全体で受け止めるので、端子台１０の回路基板Ｂ，Ｃ、７，８への半田付け部分や回路基板Ｂ，Ｃ、７，８に電線ケーブル９からの引張力が作用することは回避される。容器体１７は容器構造のブロックであり、これまで使われてきた端子押えよりはるかに強度が高く、しかも、端子台１０及び回路基板Ｃ８を収納する形態であるので、強い引張力にも十分に端子台１０及び回路基板Ｂ，Ｃ、７，８に対する保護機能を果たすことができる。つまり、図３に示すように、電線ケーブル９の張力方向に対し、端子台１０を保持できるように容器体１７を端子台１０に当接させている。これにより、張力が容器体１７に作用し、端子台１０の根元の半田付け部分へ張力が作用するのを防ぐことができる。
【００２８】
このようにこの実施の形態１の回路ボックスには、端子台１０及びそれを半田付けにした回路基板Ｂ，Ｃ、７，８に対する外力からの保護機能が優れている特徴がある。また、図１に示すように、端子台１０の側面部は容器体１７及び押え板２１で覆われていて、そして、容器体１７の窓部１９及び窓部２０は、ボックス外殻１の開口部１６及び開口部１５と当接しているので、端子台１０の外部へ露出した部分から内部へ芥や埃が侵入することが防止され、機能の保全性が良いという特徴がある他、端子台１０部分での埃によるトラッキング現象の発生も防止する機能を持ち、発火に対する安全性の向上も図られている。この他にも、容器体１７自体の構造により、回路基板Ｂ７と回路基板Ｃ８との絶縁が図られているので、絶縁にかかる別部品及びその固定手段も不要であることからコンパクト化と低コスト化を推進することもできる特徴を備えている。
【００２９】
なお、この実施の形態１では端子台１０を備えた二つの回路基板Ｂ，Ｃ、７，８を備えた回路ボックスについて説明したが、回路基板Ｃ８のみの場合でも上述のような容器体１７とボックス外殻１との構成を採用することにより、その効果は得られる。また、端子台１０を設けた回路基板Ｂ，Ｃ、７，８の他にさらに端子台１０を設けた回路基板Ｄ（図示なし）があるような構成であっても、容器体１７に例えば回路基板Ｃ８，回路基板Ｄを個別に収納するようにすることにより、上述のような容器体１７とボックス外殻１との構成を採ることができ、同様の効果が得られる。
【００３０】
実施の形態２．
図４はこの実施の形態２の回路ボックスを示す分解斜視図である。この図からも分るようにこの実施の形態２の回路ボックスも基本的な構成は上述の実施の形態１のものと同じである。この回路ボックスの特徴は信号線３１を接続するコネクタ接続口３２を備えていることと、取付枠３３を介して天井等に取付け送信機との組合わせで換気装置等の機器の運転・停止を行なうものであることであり、これらに係る構成以外は、実施の形態１のものと同じである。従って、実施の形態１の図はこれをそのまま援用するとともに、同一部分については同一の符号を用いそれらについての説明は省略する。
【００３１】
この回路ボックスは、ボックス外殻１を建物の天井等の取付箇所に取付けられる取付枠３３に挿入して取付けるように構成されている。また、ボックス外殻１の一側面に信号線３１を接続するコネクタ接続口３２が外部に臨んで配設されている。取付枠３３は、金属製の両端の開放した角筒体として構成され、対向する側面には取付箇所に固定するための固定金具（図示しない）が一つずつ設けられている。取付枠３３の一方の開口端は回路ボックス挿入口３４として形成され、天井面等に当て沿わすためのフランジ３５が口縁に形成されている。固定金具が設けられた側面の回路ボックス挿入口３４寄りには、それぞれ対向位置において内方へ突き出す取付片３６が切り曲げにより形成されている。この各取付片３６にはネジ孔が形成され、端子台１０の露出した端面側から回路ボックスを回路ボックス挿入口３４へ各取付片３６に回路ボックスの表示パネル３を装着しているフランジ２が当接するまで挿入し、表示パネル３側から各ネジ孔にネジを締め込むことにより回路ボックスが取付枠３３に内装される。
【００３２】
この状態の回路ボックスの表示パネル３は取付枠３３の回路ボックス挿入口３４より若干奥側に位置し、回路ボックスの他端側は取付枠３３の開放端から取付枠３３の外部に突き出している。ボックス外殻１の蓋板５とこれに対向する側面には、表示パネル３の近くに外方へ突出する掛止片３７が切起されている。この二箇所の掛止片３７を使って取付枠３３の回路ボックス挿入口３４全体を被覆する化粧グリル３８が二又状の掛けバネ３９の掛け止めにより着脱可能に装着される。この化粧グリル３８は取付枠３３内の表示パネル３を視認できるように構成されている。
【００３３】
回路ボックスの蓋板５による側面に隣接した一側の表示パネル３寄りには回路基板Ｂ７に設けられたコネクタ接続口３２が外部に臨んで配設されている。この側面にはコネクタ接続口３２に接続する信号線３１を側面に沿って回路ボックスの端子台１０側の端面に向って保持する樹脂製の配索ガイド４０が数個間隔をおいて取付けられている。これらの配索ガイド４０は、当該側面に対向する取付枠３３の内面との間に収まり、側方から信号線３１を保持させることができる。取付枠３３のコネクタ接続口３２側の側面はコネクタ接続口３２と配索ガイド４０のいくつかを覆いうるように保護構造４１として延設されている。また、保護構造４１の側面に隣接する二面の側面の端縁は、電線ケーブル９や信号線３１に対する保護構造としてのカーリング４２が施されている。これ以外の構成は実施の形態１のものと同じである。
【００３４】
この実施の形態２の回路ボックスでは、一般には信号線３１のコネクタ接続部はその被覆を薄くするためこの部分が損傷を受け易いが、コネクタ接続口３２が取付枠３３の保護構造４１で覆われ、しかも配索ガイド４０で保護構造４１との隙間が保持されているので信号線３１の当該部が損傷を受けることは殆どない。また、取付枠３３に対する回路ボックスの挿入方向である端面に電線ケーブル９及び信号線３１が配索されているので、取付枠３３への回路ボックスの取付作業はし易く、作業性が良い。さらに、電線ケーブル９や信号線３１が接触し易い取付枠３３の端縁にカーリング４２による保護構造が施されているので、電線ケーブル９や信号線３１の損傷が防止される。これ以外の機能や利点は実施の形態１のものと同じであるのでそれらの説明は省略する。
【００３５】
【発明の効果】
以上、実施の形態による説明からも明らかなように、請求項１の発明によれば端子台及びそれを半田付けにした基板に対する外力からの保護機能の優れた回路ボックスが得られる。
【００３６】
請求項２の発明によれば、端子台の露出部分から内部へ芥や埃が侵入することを防止できる回路ボックスが得られる。
【００３７】
請求項３の発明によれば、端子台及びそれを半田付けにした基板に対する外力からの保護機能が優れ、端子台の露出部分から内部へ芥や埃が侵入することも防止できる回路ボックスが得られる。
【００３８】
請求項４の発明によれば、複数の端子台及びそれを半田付けにした複数の基板に対する外力からの保護機能が優れ、各端子台の露出部分から内部へ芥や埃が侵入することも防止できる回路ボックスが得られる。
【００３９】
請求項５の発明によれば、請求項１〜請求項４までのいずれかに係る前記効果とともに端子台部分での埃によるトラッキング現象の発生を防止することができる。
【００４０】
請求項６の発明によれば、請求項１〜請求項５までのいずれかに係る前記効果とともに、コネクタ接続口に信号線のコネクタを接続する回路ボックスに対する、信号線のコネクタ接続部の保護を簡素な構成により実現できる。
【図面の簡単な説明】
【図１】  実施の形態１の回路ボックスを示す分解斜視図である。
【図２】  実施の形態１の回路ボックスを一部を破断して示す平面図である。
【図３】  実施の形態１の回路ボックスを一部を破断して示す側面図である。
【図４】  実施の形態２の回路ボックスを示す分解斜視図である。
【符号の説明】
１  ボックス外殻
７  回路基板Ｂ
８  回路基板Ｃ
９  電線ケーブル
１０  端子台
１１  面
１２  差込孔
１５  開口部
１６  開口部
１７  容器体
１９  窓部
２０  窓部
２２  枠部
２３  掛止部
２４  部分
２５  カバー
２６  引出口
２７  緩衝材
３０  ネジ
３１  信号線
３２  コネクタ接続口
３３  取付枠
４０  配索ガイド
４１  保護構造
【図１】
0003704809.tif 000002
【図２】
0003704809.tif 000003
【図３】
0003704809.tif 000004
【図４】
0003704809.tif 000005